(57)【要約】      （修正有）【課題】収納が簡単で、手軽にかなりの電化製品に利用でき、安価で耐久性ある小型で高性能の携帯用太陽光発電装置を提供する。【解決手段】太陽光モジュールをできる限り薄く仕上げ、適宜のサイズに長方形に切断する。太陽電池モジュールとニッケル水素電池、リチウムイオン電池、アルカリ電池の中の1つとインバーターが内蔵された第1のプラスチックケース１と、太陽電池モジュールが内蔵された第２のプラスチックケース２とを、折り曲げ可能に一体に構成し，巻いて収納しやすく、携帯しやすい構造とする。【選択図】図１
2005116722.tif 000002
【特許請求の範囲】
【請求項１】
太陽電池モジュールとニッケル水素電池、リチウムイオン電池、アルカリ電池の中の1つとインバーターが内蔵された第1のプラスチックケース（1）と、太陽電池モジュールが内蔵された第２のプラスチックケース(2)とが、折り曲げ可能に一体に構成された携帯用太陽光発電装置。
【発明の詳細な説明】
【技術分野】
【０００１】
本発明は、太陽光モジュールを適宜サイズに長方形に切断、この太陽電池モジュールとニッケル水素電池、リチウムイオン電池、アルカリ電池の中の1つとインバーターが内蔵された第1のプラスチックケース（1）と、太陽電池モジュールが内蔵された第２のプラスチックケース(2)とが、折り曲げ可能に一体に構成された携帯用太陽光発電装置に関するものである。
【０００２】
近時、原子力発電や石油・石炭等の化石エネルギーの燃焼による発電は、地球温暖化や環境の破壊を引き起こす要因となるばかりか、これらの施設費用や維持費の増大は電力利用者にとっては、電力使用料金の経済的負担が強いられる為、太陽光・風力・水力、同熱等の自然エネルギーの利用による発電に関する開発が急務となっている。
その中にあって、太陽光発電が特に実用電源として期待されているが、価格が高く、現在建物の屋根と電気器具の一部、又照明用の一部に使われている程度で、普及著しい状況ではない。
そして、従来より大型は建物用、最近では時計・電卓・庭園の照明といろいろな応用品で太陽光発電が利用されている。
携帯用の技術としては、従来よりいくつか提案されている。太陽光発電は直流であり、交流への変換装置を併設したものは少ない。
【背景技術】
【０００３】
従来より大型は建物用、最近では時計・電卓・庭園の照明用といろいろな応用品で太陽光発電が利用されている。
【０００４】
従来より太陽モジュールは、一定の幅のモジュールを床板に置いて張り合わせ、平面体でしようされており、モジュールを２重に置いたり、巻いて収納させたりする発想はなされていない。
【０００５】
従来技術としては、風力と太陽光発電セット品や照明器具とセットで街路灯としての利用が主で、使用目的が自由で大容量でしかも携帯出来る太陽光発電装置そのものはあまり見受けられない。  
【発明の開示】
【発明が解決しようとする課題】
【０００６】
利用できる電力の容量により、サイズは異なるが小型で性能もよく、一部の部品交換は１〜２年で必要であるが、コンパクトで利用と収納が簡単で、容量以内であれば何の器具にも利用は自由で１回に３〜５時間の太陽光の充電で、長時間利用でき、安価で耐久性ある携帯用の太陽光発電が望まれる。
【課題を解決するための手段】
【０００７】
上記請求の項１の発明は、太陽電池モジュールとニッケル水素電池、リチウムイオン電池、アルカリ電池の中の1つとインバーターが内蔵された第1のプラスチックケース（1）と、太陽電池モジュールが内蔵された第２のプラスチックケース（２）とが、折り曲げ可能に一体に構成されたことを特徴とする携帯用太陽光発電装置である。
【発明の効果】
【０００８】
携帯用太陽光発電装置の開発・効果については、人の手により手軽に携帯で
きるものから、多数の人手で利用できるもの、更には小型の簡易トラッククレーンを使い重量が１セット500kg以上の機種まで多種多様に製作できる。
その為、イ、個人で使用できるラジオ・テレビ・コンピューター・照明用等、幅広い利用が可能で、家庭内やアウトドア−用に便利でかなりの普及が期待される。
ロ、発電量も小型で１０ワット以上からトラッククレーンを利用する１Kから２Kワット以上も製作が可能で、更に１セット・２セットと並行利用すれば２K〜３Kワットとかなりの発電量が得られる。従って、地震発生地・水害発生地・紛争発生地・テロ発生等の救済の電源用・手術用・通信用・照明用と低開発国（ODA）への支援の他、海・山と幅広い利用ができる。
ハ、更に新型の電池が開発され、大容量になれば携帯用太陽光発電の利用も更に応用ができ、新しい工夫と新機能の製品開発も可能である。
ニ、現在ある太陽光モジュールの利用とニッケル水素電池等の利用で、当面の必要な携帯用が出来る為、一般の大半の人が手軽に安価で太陽発電の利用が可能であり、地球温暖化防止の為、自然エネルギー利用への関心が高まる効果も期待でき、家庭内でも徐々に利用がなされればCo２の排出削減効果にもかなりの利点が得られる。
【実施例】
【０００９】
本発明の一実施例を図面に基づき説明する。
図１は、今回発明した請求項１に係る携帯用太陽光発電装置の斜視図で、太陽光モジュール・ニッケル水素電池、リチウムイオン電池、アルカリ電池の中の1つ・インバーターを内蔵したプラスチックケース１と太陽光モジュールを収納したプラスチックケース２で、７、６はそれぞれの収納部のフタで３はＯＮ又はＯＦＦ用のスイッチで、４は交流電源の差し込みソケットで５は全体を吊り上げられる握り・手すりで、８は全体を巻いて縛るヒ
モである。
【００１０】
この構造により、プラスチックケース１と２の間は少し凹がつけられ、この窪みは軟弱性のもので作られており収納がしやすい。プラスチックケース１のところはプラスチックケース２のところより少し太めに出来ておりここに太陽光モジュールとニッケル水素電池、リチウムイオン電池、アルカリ電池の中の1つ・直流電気を交流に変換するものや、電流の量を自動調整するインバーターを組込ませ配線する。プラスチック２の方には幾分厚めの太陽光シリコンモジュールでも出し入れ可能とした。プラスチックケース２の数は特に限定せず、使いやすさとデザイン的にも自由に変更できる。
【００１１】
図２は、請求項１に係る携帯用太陽光発電装置の例を示し、図２のプラスチックケース１は図１のプラスチックケース１と同じ作りであるが、図２のプラスチックケース２は、中の太陽光モジュールをかなり薄くする事で、プラスチックケース２との間に凹の溝９を入れ、この部は耐久性ある軟弱なビニールシートとの作りで、プラスチック２の全体が薄目にできており、上下よりシートでラミネート（圧着仕上）加工を行い、全体をソフトな仕上がりとした。又、使いやすくデザイン的にもいろいろと加工がしやすい。
【００１２】
図３はプラスチック１のモジュールを中心にプラスチック２で巻き締めヒモ８でしばり、更に布バック１０等に入れ携帯をよりしやすくした例である。
【００１３】
図４はプラスチック１のモジュールを上にして４枚のモジュールを重ね折りしたもので、コンパクトで携帯が図３に示した、例の携帯用太陽光発電装置よ
りしやすい構造である。
【００１４】
図５は請求項１に係る装置の正面図を表す。プラスチックケース２との間やプラスチックケース１と２との間も凹の作りで、折り曲げやすい作りとしている。
【００１５】
図６は請求項１に係る装置の左面、図７は左側面図を表している。図中の５は手すり（握り金具）で７はフタである。
【００１６】
図７は請求項１に係る装置の背面図を表している。図中２はプラスチックケースである。
【００１７】
図８は他の実施例に係る携帯用発電装置の例を示す平面図、図９は底面を表示、図１０は右面からの図である。
【００１８】
図１１は本発明の実施例に用いるプラスチックケースを示し、プラスチックケース１は少し大きめで、プラスチックケース２の４ヶはそれぞれプラスチックケース１より小さくできており、モジュールを入れるのみの作りで、フタ６と７はニッケル水素電池、リチウムイオン電池、アルカリ電池の中の1つと交換時に１年〜1.5年に１回の開閉が必要で、凹型９の溝を入れ、折れ曲げがしやすい作りとなっており、１１は図１２に示す通りホック型の止め金で閉まるようにした。
【００１９】
図１３は太陽光モジュールで、モジュール１２を床板１３に張った状態で、ニッケル水素電池１４でインバーターを示している。各モジュール１２インバーター１５は配線１６されている。
【００２０】
図１４はプラスチックケース１・２の中に図１３のモジュール１２やニッケル水素電池、リチウムイオン電池、アルカリ電池の中の1つ１４を収納した状態を表示した図で、全体がコンパクトに収納されている。
【００２１】
図１５は本発明の配線系統図を示すもので、太陽光のモジュール１２で発生した電流が、ニッケル水素電池、リチウムイオン電池、アルカリ電池の中の1つ１４に蓄電され、インバーター１５で直流が交流に変換され、入・切りスイッチ３を操作することで、スケット４で電気が使用できるシステムとなっている。
【図面の簡単な説明】
【００２２】
【図１】本発明の一実施例を示す携帯用太陽光発電装置の全体斜視図
【図２】太陽光モジュールをラミネート（シートによる圧着）で仕上げたコンパクトサイズの全体斜視図
【図３】携帯用太陽光発電装置を巻き上げ、袋詰めした図
【図４】図２の発電装置を重ねて折りタタミをした図
【図５】図１に示す装置の正面図
【図６】図１に示す装置の左側面図
【図７】図１に示す装置の背面図
【図８】図２に示す装置の平面図
【図９】図２に示す装置の底面図
【図１０】図２に示す装置の右側面図
【図１１】図１の実施例に用いるプラスチックケース図
【図１２】図11のケースのフタの止め金図（ホック止め）
【図１３】太陽光モジュールとニッケル水素電池、インバーターを示す斜視図
【図１４】図11に図13を収納した図（太陽光モジュールをケースに収納した図）
【図１５】本発明の実施例となるモジュールとニッケル水素電池、インバーターを配線した系統図
【符号の説明】
【００２３】
１．プラスチックケース                  ２．プラスチックケース
３．スイッチ（入・切）                  ４．コンセント
５．手スリ（握り金具）                  ６．フタ(小)
７．フタ（大）                          ８．ヒモ
９．凹（溝）                            10．袋
11．止め金（ホック）                    12．太陽光モジュール
13．床板                                14．ニッケル水素電池
15．直流・交流変換インバーター          16．配線
【図１】
2005116722.tif 000003
【図２】
2005116722.tif 000004
【図３】
2005116722.tif 000005
【図４】
2005116722.tif 000006
【図５】
2005116722.tif 000007
【図６】
2005116722.tif 000008
【図７】
2005116722.tif 000009
【図８】
2005116722.tif 000010
【図９】
2005116722.tif 000011
【図１０】
2005116722.tif 000012
【図１１】
2005116722.tif 000013
【図１２】
2005116722.tif 000014
【図１３】
2005116722.tif 000015
【図１４】
2005116722.tif 000016
【図１５】
2005116722.tif 000017